(57)【要約】      （修正有）【課題】網状部材と親綱とが分離してしまうのを防止することで、藻類育成領域への捕食生物の侵入を効果的に防止することができる藻類育成用ネットを提供する。【解決手段】水底又は礁材上に形成される藻類を育成させる領域を包囲するように配置されて藻類の育成環境を保護する藻類育成用ネット１であって、網状に形成される網状部材２と、網状部材を構成する子綱２ａよりも太い親綱３と、網状部材と親綱とを結束する結束綱４とを備え、網状部材は、端部が中央側に位置するように折り返されて形成された折返し端部を備えており、親綱は、折り返し端部に位置する子綱と結束綱によって結束される。【選択図】図２
0003188629.tif 000002
【実用新案登録請求の範囲】
【請求項１】
水底又は礁材上に形成される藻類を育成させる領域を包囲するように配置されて藻類の育成環境を保護する藻類育成用ネットであって、
網状に形成される網状部材と、該網状部材を構成する子綱よりも太い親綱と、網状部材と親綱とを結束する結束綱とを備え、網状部材は、端部が中央側に位置するように折り返されて形成された折返し端部を備えており、親綱は、該折り返し端部に位置する子綱と結束綱によって結束されることを特徴とする藻類育成用ネット。
【請求項２】
前記折り返し端部は、網状部材の外周の全域に亘って形成されており、親綱は、折り返し端部の全域に亘って結束されることを特徴とする請求項１に記載の藻類育成用ネット。
【請求項３】
前記藻類を育成させる領域の周囲には、間隔を空けて柱材が複数設置されており、網状部材における柱材との重なり合う領域に位置する子綱に親綱が結束されることを特徴とする請求項１又は２に記載の藻類育成用ネット。
【請求項４】
前記子綱は、熱硬化性樹脂から構成される外殻と、該外殻で包まれた芯部とから構成されており、前記折り返し端部は、網状部材の端部が折り返された状態で網状部材が加熱されることで形成されることを特徴とする請求項１乃至３の何れか一項に記載の藻類育成用ネット。
【考案の詳細な説明】
【技術分野】
【０００１】
本考案は、水底又は礁材上に形成される藻類の育成環境を保護する藻類育成用ネットに関する。
【背景技術】
【０００２】
水中で藻類を育成する方法として、種々の方法が知られているが、例えば、水中に設置される礁材に藻類の胞子や藻類自体を付着させて礁材上に藻類を育成する領域（以下、藻類育成領域とも記す）を形成し、斯かる礁材を水中に設置することで、礁材上で藻類を育成する方法が知られている。しかしながら、藻類をエサとする生物（捕食生物）が多数生息している水中では、礁材上で藻類が育成し難い環境となっている。
【０００３】
そこで、礁材上の藻類を捕食生物から保護して、藻類の育成し易い環境を形成するべく、藻類育成領域をネットで包囲する方法が提案されている（特許文献１参照）。斯かる方法では、ネット内への捕食生物の侵入がネットによって防止されるため、礁材上の藻類が捕食生物のエサとなるのを防止することができる。これにより、礁材上に藻類の育成し易い環境が形成される。
【先行技術文献】
【特許文献】
【０００４】
【特許文献１】特開２００７−６７９６号公報
【考案の概要】
【考案が解決しようとする課題】
【０００５】
上記のようにして使用されるネット（以下、藻類育成用ネットとも記す）の構成としては、例えば、網状に形成された網状部材と、該網状部材を構成する子綱よりも太い親綱と、網状部材に親綱を結束する結束綱とを備えるものが知られている。斯かる藻類育成用ネットでは、網状部材の外周に沿って親綱が配置され、該親綱と網状部材の端部（具体的には、子綱の端部）に親綱が結束されている。
【０００６】
そして、斯かる藻類育成用ネットを用いて藻類育成領域を包囲する際には、例えば、藻類育成領域の周囲に複数の柱材を設置し、藻類育成領域を包囲するように、隣り合う柱材の間に藻類育成用ネットが張り渡される。これにより、藻類育成領域が複数の藻類育成用ネットで包囲される。この際、藻類育成用ネットの端部は、柱材と連結されることになるが、藻類育成用ネットの端部では、網状部材を構成する子綱の端部に結束綱によって親綱が結束されているため、子綱の端部から結束部分が抜けてしまい、網状部材と親綱とが分離してしまう虞がある。
【０００７】
このように、網状部材と親綱とが分離してしまうと、網状部材の端部と親綱との間から藻類育成用ネットの内側に捕食生物が侵入し、藻類を育成する環境が損なわれる。このため、網状部材と親綱とが強く結束されることが要求されている。
【０００８】
そこで、本考案は、網状部材と親綱とが分離してしまうのを防止することで、藻類育成領域への捕食生物の侵入を効果的に防止することができる藻類育成用ネットを提供することを課題とする。
【課題を解決するための手段】
【０００９】
本考案に係る藻類育成用ネットは、水底又は礁材上に形成される藻類を育成させる領域を包囲するように配置されて藻類の育成環境を保護する藻類育成用ネットであって、網状に形成される網状部材と、該網状部材を構成する子綱よりも太い親綱と、網状部材と親綱とを結束する結束綱とを備え、網状部材は、端部が中央側に位置するように折り返されて形成された折返し端部を備えており、親綱は、該折り返し端部に位置する子綱と結束綱によって結束されることを特徴とする。
【００１０】
斯かる構成によれば、網状部材の折り返し端部に位置する子綱に結束綱によって親綱が結束されることで、網状部材と親綱との結束を強くすることができる。具体的には、折り返し端部は、網状部材の端部が折り返されて形成されるため、折り返し端部には、網状部材を構成する子綱の端部が位置しない。つまり、親綱は、子綱の端部以外の位置に結束されることになるため、子綱の端部から親綱が抜けてしまうのを防止することができる。これにより、網状部材と親綱とが分離してしまうのが防止されるため、藻類育成用ネットで包囲された領域内への捕食生物の侵入を効果的に防止することができる。
【００１１】
前記折り返し端部は、網状部材の外周の全域に亘って形成されており、親綱は、折り返し端部の全域に亘って結束されることが好ましい。
【００１２】
斯かる構成によれば、親綱によって藻類育成用ネットの外周部に剛性を持たせることができる。このため、藻類育成用ネットを藻類育成領域の周囲に配置する際の作業性を向上させることができる。また、藻類育成用ネットの端部には、親綱が位置しているため、藻類育成用ネットの端部を礁材等に連結することで、藻類育成用ネットの子綱の部分が礁材等に連結される場合よりも、連結強度を高くすることができる。
【００１３】
前記藻類を育成させる領域の周囲には、間隔を空けて柱材が複数設置されており、網状部材における柱材との重なり合う領域に位置する子綱に親綱が結束されることが好ましい。
【００１４】
斯かる構成によれば、網状部材と柱材との重なる領域に位置する子綱に親綱が結束綱を介して結束されることで、藻類育成用ネットの破損を抑制することができる。具体的には、藻類育成用ネットは、柱材と重なる領域で柱材と接触することになるため、斯かる領域に親綱が結束されることで、斯かる領域に網状部材のみ（即ち、子綱のみ）が位置する場合よりも、斯かる領域の強度を向上させることができる。このため、柱材との接触による藻類育成用ネットの破損を効果的に抑制することができる。
【００１５】
前記子綱は、熱硬化性樹脂から構成される外殻と、該外殻で包まれた芯部とから構成されており、前記折り返し端部は、網状部材の端部が折り返された状態で網状部材が加熱されることで形成されることが好ましい。
【００１６】
斯かる構成によれば、子綱の外殻が熱硬化性樹脂から構成されることで、折り返し端部の形状を良好に保持することができる。具体的には、網状部材の端部が折り返されることで、折り返された部分では、子綱が変形した状態となる。そして、斯かる状態の網状部材が加熱されることで、子綱の変形した部分の外殻が硬化するため、変形した部分の形状（即ち、折り返し端部の形状）を良好に保持することができる。
【考案の効果】
【００１７】
以上のように、本考案によれば、網状部材と親綱とが分離してしまうのを防止することで、藻類育成領域への捕食生物の侵入を効果的に防止することができる。
【図面の簡単な説明】
【００１８】
【図１】本実施形態に係る藻類育成用ネットで礁材上に形成される藻類育成領域を覆った状態を示す斜視図。
【図２】本実施形態に係る藻類育成用ネットの端部を示した斜視図。
【図３】本実施形態に係る藻類育成用ネットで用いられる網状部材の折り返し端部を示した斜視図。
【考案を実施するための形態】
【００１９】
以下、本考案の実施形態について図１〜３を参照しながら説明する。
【００２０】
本考案に係る藻類育成用ネットは、水底や礁材上に形成される藻類を育成する領域（以下、藻類育成領域とも記す）を包囲するように配置される。本実施形態では、図１に示すように、藻類育成用ネット１は、礁材Ａ上に形成される藻類育成領域を包囲するように、藻類育成領域の周囲に複数配置される。また、本実施形態では、藻類育成領域を包囲するように複数の藻類育成用ネット１が配置されてなる筒上の側壁の上端開口部を閉塞するように、藻類育成領域の上方に藻類育成用ネット１が配置される。そして、各藻類育成用ネット１の端部同士が連結されることで、藻類育成領域が藻類育成用ネット１で覆われた状態となる。
【００２１】
なお、本実施形態では、藻類育成領域の周囲に複数の柱材Ｂが設置される。そして、隣り合う柱材Ｂの間に藻類育成用ネット１が張り渡されて、各藻類育成用ネット１の端部が柱材Ｂに固定具等で固定されることで、複数の藻類育成用ネット１によって形成される形状（例えば、立方体状）が保持される。また、本実施形態では、礁材Ａは、藻類を生息させる育成用礁材Ａ１と、該育成用礁材Ａ１が複数載置される礁材土台Ａ２とから構成される。
【００２２】
藻類育成用ネット１は、図２に示すように、網状に形成される網状部材２と、該網状部材２を構成する子綱２ａよりも太い（例えば、子綱２ａの５倍以上１０倍以下の太さである）親綱３と、網状部材２と親綱３とを結束する結束綱４とを備える。親綱３は、網状部材２の外周に沿って且つ外周の全域に亘って配置される。本実施形態では、網状部材２における柱材Ｂとの重なり合う領域に位置する子綱２ａに親綱３が結束される。また、結束綱４は、網状部材２を構成する子綱２ａおよび親綱３の両方が内側に位置するように、子綱２ａおよび親綱３の周囲に巻き回されることで、網状部材２と親綱３とを結束するように構成される。
【００２３】
網状部材２は、図３に示すように、端部が中央側に折り返されて形成された折り返し端部２ｂを備える。そして、該折り返し端部２ｂに親綱３が結束される。具体的には、折り返し端部２ｂに位置する子綱２ａのうち、網状部材２の外周方向に沿って伸びる（即ち、親綱３に沿って伸びる）子綱２ａ（以下、結束位置子綱２ｃとも記す）と親綱３とが結束される。本実施形態では、結束位置子綱２ｃは、折り返し端部２ｂが形成された網状部材２の最も外周部に位置する。
【００２４】
折り返し端部２ｂを形成する方法としては、特に限定されるものではないが、子綱２ａを構成する素材に応じて、適宜選択することが好ましい。例えば、子綱２ａが熱硬化性樹脂から構成される外殻と、該外殻で包まれた芯部とから構成される場合、網状部材２の端部が内側に位置するように網状部材２を折り返した状態で、網状部材２を加熱する方法を採用することができる。これにより、網状部材２を構成する子綱２ａの外殻が硬化するため、網状部材２が折り返された位置の形状が固定され、折り返し端部２ｂが形成される。
【００２５】
上記のような子綱２ａの外殻を構成する熱硬化性樹脂としては、特に限定されるものではなく、例えば、フェノール樹脂，エポキシ樹脂，シリコーン樹脂，不飽和ポリエステル樹脂，ポリイミド樹脂，ポリウレタン樹脂等が挙げられる。また、上記のような子綱２ａの芯部を構成する素材としては、例えば、ポリエステル樹脂、アクリル樹脂，塩化ビニル樹脂，ポリフェニレンオキサイド樹脂，ポリアミド樹脂等が挙げられる。また、子綱２ａは、外殻の表面に被覆層を備えてもよく、該被覆層としては、例えば、ポリエチレン樹脂、ポリプロピレン樹脂，ポリアミド樹脂，ＡＢＳ樹脂，ポリアセタール樹脂，塩化ビニル樹脂等が挙げられる。
【００２６】
上記のような構成の子綱２ａは、軽量であると共に、優れた耐腐食性（耐久性）を有する。さらに、斯かる子綱２ａは、比較的細いもの（φ５ｍｍ以下）であっても強度が比較的高く、更に適度な剛性を有する。このため、斯かる子綱２ａを用いて形成された網状部材２を備える藻類育成用ネット１は、藻類育成領域の周囲に配置する際の作業性が良好なものとなると共に、水流の影響等によって破損し難く、且つ付着物が付き難いものになる。
【００２７】
上記のような藻類育成用ネット１の網目の大きさとしては、特に限定されるものでないが、藻類育成用ネット１が設置される水中の環境（捕食生物の大きさや水流等）に応じて適宜選択することができる。例えば、網目の大きさの異なる複数の藻類育成用ネット１を用いて藻類育成領域を覆うことが好ましい、具体的には、網目の大きさの異なる２つの藻類育成用ネット１を連結して一組のネット材とし、該ネット材における網目の小さい藻類育成用ネット１を水底側に、網目の大きい藻類育成用ネット１を水面側にして藻類育成領域の周囲に配置することが好ましい。
【００２８】
水底側に配置される藻類育成用ネット１の網目寸法は、特に限定されるものではないが、水底の近傍に生息している捕食生物の大きさに応じて適宜設定される。例えば、斯かる網目寸法としては、１０ｍｍ以上４０ｍｍ以下であってもよく、１０ｍｍ以上３０ｍｍ以下であってもよく、２０ｍｍ以上４０ｍｍ以下であってもよい。
【００２９】
以上のように、本考案に係る藻類育成用ネットによれば、網状部材と親綱とが分離してしまうのを防止することで、藻類育成領域への捕食生物の侵入を効果的に防止することができる。
【００３０】
即ち、網状部材２の折り返し端部２ｂに位置する子綱２ａに結束綱４によって親綱３が結束されることで、網状部材２と親綱３との結束を強くすることができる。具体的には、折り返し端部２ｂは、網状部材２の端部が折り返されて形成されるため、折り返し端部２ｂには、網状部材２を構成する子綱２ａの端部が位置しない。つまり、親綱３は、子綱２ａの端部以外の位置に結束されることになるため、子綱２ａの端部から親綱３が抜けてしまうのを防止することができる。これにより、網状部材２と親綱３とが分離してしまうのが防止されるため、藻類育成用ネット１で包囲された領域内への捕食生物の侵入を効果的に防止することができる。
【００３１】
また、親綱３によって藻類育成用ネット１の外周部に剛性を持たせることができる。このため、藻類育成用ネット１を藻類育成領域の周囲に配置する際の作業性を向上させることができる。また、藻類育成用ネット１の端部には、親綱３が位置しているため、藻類育成用ネット１の端部を礁材Ａ等に連結することで、藻類育成用ネット１の子綱２ａの部分が礁材Ａ等に連結される場合よりも、連結強度を高くすることができる。
【００３２】
また、網状部材２と柱材Ｂとの重なる領域に位置する子綱２ａに親綱３が結束綱４を介して結束されることで、藻類育成用ネット１の破損を抑制することができる。具体的には、藻類育成用ネット１は、柱材Ｂと重なる領域で柱材Ｂと接触することになるため、斯かる領域に親綱３が結束されることで、斯かる領域に網状部材２のみ（即ち、子綱２ａのみ）が位置する場合よりも、斯かる領域の強度を向上させることができる。このため、柱材Ｂとの接触による藻類育成用ネット１の破損を効果的に抑制することができる。
【００３３】
また、子綱２ａの外殻が熱硬化性樹脂から構成されることで、折り返し端部２ｂの形状を良好に保持することができる。具体的には、網状部材２の端部が折り返されることで、折り返された部分では、子綱２ａが変形した状態となる。そして、斯かる状態の網状部材２が加熱されることで、子綱２ａの変形した部分の外殻が硬化するため、変形した部分の形状（即ち、折り返し端部２ｂの形状）を良好に保持することができる。
【００３４】
なお、本考案に係る藻類育成用ネットは、上記実施形態に限定されるものではなく、本考案の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３５】
上記実施形態では、網状部材２の端部が折り返された状態で加熱されることで、折り返し端部２ｂの形状が保持されているが、これに限定されるものではなく、網状部材２の端部が折り返された際に重なり合い子綱２ａ同士を結束部材（紐や結束バンド等）で結束することで、折り返し端部２ｂの形状が保持されてもよい。
【００３６】
例えば、上記実施形態では、網状部材２の外周の全域に亘って親綱３が配置されているが、これに限定されるものではなく、例えば、網状部材２の外周に沿って部分的に親綱３が配置されてもよい。
【００３７】
また、上記実施形態では、藻類育成用ネット１は、複数連結されることで藻類育成領域を覆うことが可能となっているが、これに限定されるものではなく、一つの藻類育成用ネットが藻類育成領域を覆うことが可能な形状であれば、一つの藻類育成用ネットで藻類育成領域が覆われてもよい。
【００３８】
また、上記実施形態では、藻類育成領域の周囲に藻類育成用ネット１が配置されると共に、藻類育成領域の上方にも藻類育成用ネット１が配置されているが、これに限定されるものではなく、例えば、藻類育成領域へ上方から捕食生物が侵入する虞がない場合（具体的には、藻類育成領域の周囲に配置される藻類育成用ネット１の上端部が水面から突出しているような場合等）には、藻類育成領域の上方に藻類育成用ネット１を配置しなくてもよい。
【００３９】
また、上記実施形態では、藻類育成用ネット１が柱材Ｂに連結されているが、これに限定されるものではなく、例えば、藻類育成用ネット１の端部（具体的には、親綱３）にフロートを連結し、該フロートの浮力によって、藻類育成用ネット１が藻類育成領域から離間した位置に保持されてもよい。
【００４０】
また、上記実施形態では、礁材Ａ上に形成される藻類育成領域を覆うように藻類育成用ネット１が複数配置されているが、これに限定されるものではなく、例えば、水底に藻場を形成する場合には、水底の所定領域（即ち、藻類育成領域）を覆うように、藻類育成用ネット１が配置されてもよい。
【符号の説明】
【００４１】
１…藻類育成用ネット、２…網状部材、２ａ…子綱、２ｂ…折り返し端部、２ｃ…結束位置子綱、３…親綱、４…結束綱、Ａ…礁材、Ａ１…育成用礁材、Ａ２…礁材土台、Ｂ…柱材
【図１】
0003188629.tif 000003
【図２】
0003188629.tif 000004
【図３】
0003188629.tif 000005